(57)【要約】【課題】製造コストを高騰させることなく紙製の消しゴムカバーのみにて、使用前の汚れや色あせの発生を防止することができ、使用開始時には消しゴム本体の使用に必要となる部分を露出させるためにカバー不要部分を切り取り易くしたカバー付き消しゴムを提供する。【解決手段】消しゴム本体１１と、消しゴム本体１１を覆うカバー付き消しゴム１０において、該カバー１２は使用前の消しゴム本体１１外周面全体を覆う筒体であって、該筒体には使用開始時における消しゴム本体１１使用のために必要となる部分を露出させるための切取手段が設けられ、該切取手段は筒体の開口方向と直交する方向に設けられた環状切目１５と、該環状切目１５に連通する筒体の消しゴム本体の使用側開口方向に延びる窓穴と、該窓穴から使用側開口に連なるように形成される切目で構成される。【選択図】図１
2010247488.tif 000002
【特許請求の範囲】
【請求項１】
消しゴム本体と、消しゴム本体を覆うカバー付き消しゴムにおいて、該カバーは使用前の消しゴム外周面全体を覆う筒体であって、筒体には消しゴム本体使用のために必要となる部分を露出させるための切取手段が設けられていることを特徴とするカバー付き消しゴム。
【請求項２】
前記切取手段は筒体の開口方向と直交する方向に設けられた環状切目と、該環状切目に連通する消しゴム本体の使用側開口方向に延びる窓穴と、該窓穴から使用側開口に連なるように形成された切目で構成されることを特徴とする請求項１記載のカバー付き消しゴム。
【請求項３】
前記筒体の窓穴から使用側開口に連なる切目は流線状切目であって、流線状切目の基端は窓穴の一辺を形成する案内部に直交し、他端は筒体の使用側開口を形成するいずれかの角部に到達するように形成されることを特徴とする請求項３記載のカバー付き消しゴム。
【請求項４】
前記筒体は厚紙の両側部が貼り付けられた貼り付け部を備え、貼り付け部は窓穴と対面に配せされ、二重に形成された貼り付け部の覆う側厚紙には、環状切目に連通する略三角形状の切り欠きが設けられていることを特徴とする請求項４記載のカバー付き消しゴム。
【請求項５】
前記切取手段の案内部は角柱形状からなる消しゴム本体いずれかの稜線上に配せられ、案内部の一端は環状切目に直交し、他端は使用側開口に連なるように形成された切目に連通することを特徴とする請求項２記載のカバー付き消しゴム。
【発明の詳細な説明】
【技術分野】
【０００１】
本発明は、消しゴムを収納するカバー付き消しゴムに関するものである。
【背景技術】
【０００２】
従来、この種のカバー付き消しゴムは、消しゴム使用のために必要となる外周面の一部をあらかじめ露出させ、露出部４以外の外周面に厚紙からなるカバーを被覆させていた。（図６）また、外周面の一部をあらかじめ露出させたカバー付き消しゴムをセロファン等シート５で全体を更に被覆させることにより、配送や陳列、または販売等で生じる露出部の汚れや色あせの発生を防止していた。（図７）
【発明の概要】
【発明が解決しようとする課題】
【０００３】
しかし、上記従来のカバー付き消しゴムでは、セロファン等シートで被覆されないもの（図６）は陳列等により外周面の露出部は特に汚れ易く、カバー被覆部と比較すると経時変化により色あせが生じ易いため、外観上好ましいものではなかった。更に、セロファン等シートにより被覆されたもの（図７）は製造コストがかかり、またセロファンは一般的に透明であるため開封操作支持部６（図７）を判断し難く、このためセロファン等が剥がし難いという問題があった。
【０００４】
本発明の目的は、汚れや色あせを防止するためのセロファン等シートによる被覆を不要とし、また製造コストを高騰させることなく紙製の消しゴムカバーのみにて、使用前の消しゴム本体外周面全体の汚れや色あせの発生を防止することができ、使用開始時には消しゴム本体の使用のために必要となる部分を露出させるためにカバー不要部分を切り取り易くしたカバー付き消しゴムを提供することにある。
【課題を解決するための手段】
【０００５】
本発明のうち請求項１記載の発明は、消しゴム本体と、消しゴム本体を覆うカバー付き消しゴムにおいて、該カバーは使用前の消しゴム本体の外周面全体を覆う筒体であって、筒体には消しゴム本体使用のために必要となる部分を露出させるための切取手段が設けられていることを特徴とする。
【０００６】
請求項２記載の発明は、請求項１記載の切取手段が筒体の開口方向と直交する方向に設けられる環状切目と、該環状切目に連通する消しゴム本体の使用側開口方向に延びる窓穴と、該窓穴から使用側開口に連なるように形成された切目で構成されることを特徴とする。
【０００７】
請求項３記載の発明は、請求項２記載の筒体の窓穴から使用側開口に連なる切目は流線状切目であって、流線状切目の基端は窓穴の一辺を形成する案内部に直交し、他端は筒体の使用側開口を形成するいずれかの角部に到達するように形成されることを特徴とする。
【０００８】
請求項４記載の発明は、請求項３記載の筒体は厚紙の両側部が貼り付けられた貼り付け部を備え、貼り付け部は窓穴と対面に配せされ、二重に形成された貼り付け部の覆う側厚紙には、環状切目に連通する略三角形状の切り欠きが設けられていることを特徴とする。
【０００９】
請求項５記載の発明は、請求項４記載の切取手段の案内部が角柱形状からなる消しゴム本体いずれかの稜線上に配せられ、案内部の一端は環状切目に直交し、他端は使用側開口に連なるように形成された切目に連通することを特徴とする。
【発明の効果】
【００１０】
本発明のカバー付き消しゴムは、該カバーは使用前の消しゴム本体の外周面全体を覆う筒体であって、該筒体には使用時に消しゴム本体使用のために必要となる部分を露出させるための切取手段が設けられているため、使用前の汚れ発生を防止することができる。この切取手段は、筒体の開口方向と直交する方向に設けられた環状切目と、該環状切目に連通する使用側開口方向に延びる窓穴と、窓穴から使用側開口に連通するように形成される切目で構成されるため、窓穴の存在により使用開始にあたってはカバー切取操作の位置を認識し易くさせることができ、またそれぞれの切目は互いに連通して使用側開口に連なるように形成されているため確実にカバー不要部分を必要部分から切り離すことができる。
【００１１】
切取手段の案内部が窓穴を形成する一辺であって、角柱形状からなる消しゴム本体いずれかの稜線上に配されることから、使用開始にあたって不要部分を切り離す際に指で案内部を摘み易いため、カバーの切取操作を容易になし得る。さらに貼り付け部により厚紙が重複し筒体の一部が二重に形成されるので厚手となるが、貼り付け部の覆う側厚紙には略三角形状の切り欠きが形成されるため厚手個所であってもスムーズな切り取り操作が可能となる。
【図面の簡単な説明】
【００１２】
【図１】本発明実施形態のカバー付き消しゴムであって使用前の状態を正面方向から見た斜視図である。
【図２】本発明実施形態のカバー付き消しゴムであって使用前の状態を背面方向から見た斜視図である。
【図３】カバー不要部分が切取られた使用状態のカバー付き消しゴムを正面方向から見た斜視図である。
【図４】カバーの展開図である。
【図５】他の実施形態のカバー付き消しゴムであって使用前の状態を正面方向から見た斜視図である。
【図６】従来のカバー付き消しゴムを示す正面方向から見た斜視図である。
【図７】従来のセロファン等シートで被覆されたカバー付き消しゴムを示す正面方向から見た斜視図である。
【発明を実施するための形態】
【００１３】
次に本発明を実施するための形態を図面に基づいて説明する。図１および図２に示すように、本発明のカバー付き消しゴム１０の消しゴム本体１１は角柱形状を成しており、筒体からなるカバー１２に被覆される。カバー１２には筒体の開口方向と直交する方向に設けられた環状切目１５と、環状切目１５に連通する消しゴム本体１１の使用側開口１８方向に延びる窓穴１６と、窓穴１６から使用側開口１８に連なるように流線状切目１７が形成される。この形態は需要者による消しゴム本体１１使用前の状態であって、通常の陳列、販売等される状態を示す。窓穴１６の一辺を構成する案内部１４は、使用開始時におけるカバー不要部分２の切取操作を案内し、消しゴム本体１１のいずれかの稜線上に配されるため、指の太い人でも摘み易い構成となっている。図３はカバー不要部分２がカバー１２から切り取られ、カバー必要部分３のみに消しゴム本体１１が被覆されている状態であって使用状態を示す。
【００１４】
図４はカバー１２が筒体に組み立てられる前の展開図であって、一枚の厚紙２０からなり、一側に設けられたのりしろ部２１により厚紙２０の両側部を貼り合わせることにより、カバー１２が形成される。したがって厚紙２０の横断ミシン線２２は筒体の環状切目１５に相当し、横断ミシン線２２上にある長孔２３は筒体の窓穴１６に相当することになる。長孔２３からのりしろ２１に連なるように延びる傾斜ミシン線２４は流線状切目１７に相当する。のりしろ部２１の逆側には略三角形状の切込２５が形成されており、カバー１２の切り欠き１９に相当する。
【００１５】
図５は他の実施形態であって、正面外観が損なわれないように窓穴２６を側面に配したものである。案内部２７も側壁面上に配され、先の実施形態では案内部１４は直線で形成され環状切目１５および流線状切目１７に垂直になるように形成されているが、本実施形態の案内部２７の端部はアールのついた形状をなし壁面上でも切取操作がし易いように形成される。
【００１６】
次に、消しゴム本体１１使用開始時におけるカバー不要部分２の切取操作について図１に基づき説明する。先ず、消しゴム本体１１の稜線上に配された窓穴１６の案内部１４を摘み窓穴１６と対向方向に引っ張ると、二方向に分かれて案内部１４に連なる環状切目１５と流線状切目１７にそれぞれ沿ってカバー１２が切り込まれ、消しゴム本体１１の一部が露出され始める。流線状切目１７に沿って切りこまれる方は、使用側開口１８に達し切目による案内から開放されて貼り合せ部１３手前の一角まで至ると、同時に他方の環状切目１５の切り込みも貼り合せ部１３に到達する。この貼り合せ部１３は前述の通り二重に形成されているが、略三角形状の切り欠き１９が覆う側の厚紙に設けられるので、途中で閊えることなく切取操作をすすめることができる。窓穴１６の案内部１４より切り進められた切り込みのうち一方は、上述の通り使用側開口で開放される。他方は環状切目１５に沿って消しゴム本体の外周を一周するように切り込まれ、再び窓穴１６に達する。このときカバー不要部分２がカバー必要部分３から外れることにより開放されて切取操作は完了する。
【００１７】
なお、上述した実施形態は消しゴムに用いられるカバーで説明したが、消しゴム以外に固形状マーカーやクレヨン等のカバーであってもよい。
【符号の説明】
【００１８】
２  カバー不要部分
３  カバー必要部分
４  露出部
５  セロファン等フィルム
６  開封操作支持部
１０  カバー付き消しゴム  
１１  消しゴム本体
１２  カバー（筒体）
１３  貼り合せ部
１４  案内部           
１５  環状切目
１６  窓穴  
１７  流線状切目
１８  使用側開口
１９  切り欠き
２０  厚紙
２１  のりしろ部
２２  横断ミシン線   
２３  長孔
２４  傾斜ミシン線  
２５  切込
【図１】
2010247488.tif 000003
【図２】
2010247488.tif 000004
【図３】
2010247488.tif 000005
【図４】
2010247488.tif 000006
【図５】
2010247488.tif 000007
【図６】
2010247488.tif 000008
【図７】
2010247488.tif 000009